(57)【要約】      （修正有）【課題】ハードディスクドライブの損傷を予測することができる監視システムを提供する。【解決手段】本監視システムは、作動時に振動を生じるハードディスクドライブと、前記ハードディスクドライブに装着され、且つ前記ハードディスクドライブが振動する際の振動パラメーターを収集するセンサーと、前記センサーに接続され、且つ前記ハードディスクドライブの振動上限パラメーターが設定されている処理モジュールとからなる。前記センサーは、収集した前記ハードディスクドライブの振動パラメーターを前記処理モジュールに伝送し、前記処理モジュールは、前記センサーからの前記振動パラメーターと前記振動上限パラメーターとを比較して、前記振動パラメーターが前記振動上限パラメーターを超過したかを判断する。【選択図】図１
0003158177.tif 000002
【実用新案登録請求の範囲】
【請求項１】
作動時に振動を生じるハードディスクドライブと、
前記ハードディスクドライブに装着され、且つ前記ハードディスクドライブが振動する際の振動パラメーターを収集するセンサーと、
前記センサーに接続され、且つ前記ハードディスクドライブの振動上限パラメーターが設定されている処理モジュールと、からなる監視システムであって、
前記センサーは、収集した前記ハードディスクドライブの振動パラメーターを前記処理モジュールに伝送し、
前記処理モジュールは、前記センサーからの前記振動パラメーターと前記振動上限パラメーターとを比較して、前記振動パラメーターが前記振動上限パラメーターを超過したかを判断することを特徴とする監視システム。
【請求項２】
前記振動パラメーターは、前記ハードディスクドライブの連続振動時間であることを特徴とする請求項１に記載の監視システム。
【請求項３】
前記ハードディスクドライブは、最大連続振動時間を有し、前記ハードディスクドライブの連続振動時間が前記最大連続振動時間を超過すれば、前記ハードディスクドライブは損傷を受け、
前記振動上限パラメーターは、前記ハードディスクドライブの連続振動上限時間であって、該連続振動上限時間は、前記最大連続振動時間より小さいことを特徴とする請求項２に記載の監視システム。
【請求項４】
前記処理モジュールは、前記ハードディスクドライブの振動上限パラメーターを設定するパラメーター設定サブモジュールを備えることを特徴とする請求項１に記載の監視システム。
【請求項５】
前記処理モジュールは、前記センサーからの振動パラメーターを受信する受信サブモジュールをさらに備えることを特徴とする請求項４に記載の監視システム。
【請求項６】
前記処理モジュールは、前記振動パラメーターと前記振動上限パラメーターとを比較する比較サブモジュールをさらに備えることを特徴とする請求項５に記載の監視システム。
【請求項７】
前記処理モジュールは、前記振動パラメーターが前記振動上限パラメーターを超過した場合、前記ハードディスクドライブの作動を終了する指令又は警報情報を発信する発信サブモジュールをさらに備えることを特徴とする請求項６に記載の監視システム。
【考案の詳細な説明】
【技術分野】
【０００１】
本考案は、監視システムに関し、特にハードディスクドライブの破損を予測できる監視システムに関するものである。
【背景技術】
【０００２】
パソコン又はサーバーにおいて、ハードディスクドライブは記憶装置としてなくてはならないものである。ハードディスクドライブは作動過程で振動を生じるが、該振動があまりにも頻繁であると、前記ハードディスクドライブは損傷を受け易く、正常に作動することができなくなる。出荷されるハードディスクドライブには、最大連続振動時間が設定されており、連続振動時間が前記最大連続振動時間を上回ると、前記ハードディスクドライブは損傷を受ける。
【０００３】
使用者は、一般的にハードディスクドライブの最大連続振動時間及び使用寿命に関心を持たないので、前記ハードディスクドライブが損傷を受けるまでは、前記ハードディスクドライブに対するチェックを行わない。
【考案の概要】
【考案が解決しようとする課題】
【０００４】
以上の問題点に鑑みて、本考案は、ハードディスクドライブの損傷を予測することができる監視システムを提供することを目的とする。
【課題を解決するための手段】
【０００５】
前記問題を解決するために、本考案に係る監視システムは、作動時に振動を生じるハードディスクドライブと、前記ハードディスクドライブに装着され、且つ前記ハードディスクドライブが振動する際の振動パラメーターを収集するセンサーと、前記センサーに接続され、且つ前記ハードディスクドライブの振動上限パラメーターが設定されている処理モジュールと、からなる。前記センサーは、収集した前記ハードディスクドライブの振動パラメーターを前記処理モジュールに伝送し、前記処理モジュールは、前記センサーからの前記振動パラメーターと前記振動上限パラメーターとを比較して、前記振動パラメーターが前記振動上限パラメーターを超過したかを判断する。
【考案の効果】
【０００６】
本考案に係る監視システムにおいて、処理モジュールによって振動上限パラメーターを設定し、且つセンサーが収集した振動パラメーターが前記振動上限パラメーターを超過したかを判断することにより、ハードディスクドライブの損傷を予測することができる。
【図面の簡単な説明】
【０００７】
【図１】本考案に係る監視システムの構造を示すブロック図である。
【図２】本考案に係る監視システムの動作流れ図である。
【考案を実施するための形態】
【０００８】
以下、図面に基づいて、本考案の実施例に係る監視システムについて詳細に説明する。
【０００９】
図１に示したように、本考案に係る監視システム１００は、ハードディスクドライブ１０と、センサー３０と、前記ハードディスクドライブ１０及び前記センサー３０に接続される処理モジュール５０と、を備える。前記ハードディスクドライブ１０は作動時に振動を生じる。
【００１０】
前記センサー３０は、前記ハードディスクドライブ１０に装着され、前記ハードディスクドライブ１０が振動する際の振動パラメーターを収集して前記処理モジュール５０に伝送する。
【００１１】
前記処理モジュール５０には、前記ハードディスクドライブ１０の振動上限パラメーターが設定されている。前記処理モジュール５０は、前記センサー３０からの振動パラメーターを受信してから前記振動上限パラメーターと比較して、前記振動パラメーターが前記振動上限パラメーターを超過したかを判断する。
【００１２】
前記処理モジュール５０は、パラメーター設定サブモジュール５１と、受信サブモジュール５３と、比較サブモジュール５５と、発信サブモジュール５７と、を含む。前記処理モジュール５０は、前記パラメーター設定サブモジュール５１によって前記ハードディスクドライブ１０の振動上限パラメーターを設定し、前記受信サブモジュール５３によって前記センサー３０からの振動パラメーターを受信し、前記比較サブモジュール５５によって前記受信サブモジュール５３の受信した振動パラメーターと前記振動上限パラメーターとを比較し、前記受信サブモジュール５３の受信した振動パラメーターが前記振動上限パラメーターを超過した場合、前記発信サブモジュール５７によって前記ハードディスクドライブ１０の作動を終了する指令又は警報情報を発信する。
【００１３】
図２は、本考案に係る監視システム１００の動作流れ図である。
【００１４】
前記ハードディスクドライブ１０は作動時に振動を生じる。前記ハードディスクドライブ１０に装着されている前記センサー３０は、前記ハードディスクドライブ１０と一緒に振動するとともに、前記ハードディスクドライブ１０の振動パラメーターを収集して前記処理モジュール５０に伝送する。前記処理モジュール５０は、前記受信サブモジュール５３によって前記センサー３０からの振動パラメーターを受信し、前記比較サブモジュール５５によって前記振動パラメーターと前記振動上限パラメーターとを比較する。前記振動パラメーターが前記振動上限パラメーターを超過しない場合、前記ハードディスクドライブ１０が損傷を受けていないことを意味し、前記センサー３０は引き続き前記ハードディスクドライブ１０の振動パラメーターを収集し、前記受信サブモジュール５３は引き続き前記センサー３０からの振動パラメーターを受信する。前記振動パラメーターが前記振動上限パラメーターより大きいか又は等しい場合、前記発信サブモジュール５７は前記ハードディスクドライブ１０の作動を終了する指令を発するか、又は前記ハードディスクドライブ１０が損傷を受けたという警報情報を使用者または管理員に通知する。
【００１５】
本実施例において、前記振動パラメーターは連続振動時間である。通常、出荷されるハードディスクドライブには、最大連続振動時間（即ち、使用寿命）が設定されている。前記ハードディスクドライブの連続振動時間が前記最大連続振動時間を超過すれば、前記ハードディスクドライブは損傷を受けて正常的に使用することができない。前記パラメーター設定サブモジュール５１により設定される振動上限パラメーターは連続振動上限時間である。前記連続振動上限時間は最大連続振動時間より小さい。前記ハードディスクドライブの連続振動時間が前記連続振動上限時間に達すれば、前記ハードディスクドライブの作動を終了する指令を発するか、又は前記ハードディスクドライブが損傷を受けたという警報情報を使用者または管理員に予め通知することによって、ハードディスクドライブに対して修理を行なうか、又はハードディスクドライブを取り換えて、ハードディスクドライブの中のデータを保護する。
【００１６】
本実施例において、前記センサーは、ＭＥＭ(Ｍｉｃｒｏ  Ｅｌｅｃｔｒｏ  Ｍｅｃｈａｎｉｃａｌ)加速度センサーである。
【００１７】
また、前記監視システム１００は、サーバー、パソコンのようなハードディスクドライブ１０によってデータを記憶する電子装置に用いられる。
【００１８】
以上、本考案の好適な実施例について詳細に説明したが、本考案は前記実施例に限定されるものではなく、本考案の範囲内で種々の変形又は修正が可能であり、そのような変形例又は修正例もまた、本考案の技術的特徴の範囲内に含まれるものである。
【符号の説明】
【００１９】
１００  監視システム
１０  ハードディスクドライブ
３０  センサー
５０  処理モジュール
５１  パラメーター設定サブモジュール
５３  受信サブモジュール
５５  比較サブモジュール
５７  発信サブモジュール
【図１】
0003158177.tif 000003
【図２】
0003158177.tif 000004